(57)【要約】
【課題】重量を軽減し、しかもバランス調整手段を設けることにより工具ホルダの回転バランスを良好にして高速回転を可能にする。
【解決手段】アーバーを介して工作機械に取り付けられる本体部と、該本体部に嵌め込まれるところの刃部を備えたツールヘッドからなり、ツールヘッドをアルミ材にて構成するとともに、ツールヘッドの外周面には、等間隔毎に複数のバランスネジ取付用のネジ穴を形成してなる。　軽量化によって回転バランスが良好に維持され、また必要に応じて回転によるバランス負側に位置するバランスネジ取付用のネジ穴内にボルトを螺入させて回転バランスを微細に調整してより高速の回転を可能し作業効率の向上をはかることができる。
【選択図】図１
0003099591.tif 000002
【実用新案登録請求の範囲】
【請求項１】
　アーバーを介して工作機械に取り付けられる本体部と、該本体部に嵌め込まれるところの刃部を備えたツールヘッドからなり、該ツールヘッドをアルミ材にて構成してなることを特徴とした工作機械用工具ホルダ。
【請求項２】
　ツールヘッドの外周面には、等間隔毎に複数のバランスネジ取付用のネジ穴を形成してなることを特徴とした請求項１に記載の工作機械用工具ホルダ。
【請求項３】
　ツールヘッドを構成するアルミ材が、ＨＢ：１００以上の硬度を有する硬質アルミ材であるところの請求項１又は請求項２に記載の工作機械用工具ホルダ。
【考案の詳細な説明】
【技術分野】
【０００１】
　本考案は、マシニングセンタ等の工作機械用刃具を取り付けるための工具ホルダに関し、軽量化と吸震性を良好にし、該工具ホルダにおける本体部の回転バランス性を向上させることにより刃部を備えたツールヘッドの高速回転を可能にすると同時に製品の加工性を良好にすることを目的とする。
【背景技術】
【０００２】
　マシニングセンタ等の工作機械に加工用の超硬刃具を取り付けるためには工具ホルダが必要であるが、この工具ホルダは一般的にはアーバーにより工作機械に取り付けられる本体部と、この本体部に嵌め込まれるところの刃部を備えたツールヘッドとから構成される。
【考案の開示】
【考案が解決しようとする課題】
【０００３】
　しかしながら、上記の工具ホルダは通常比重７．８７程度のスチール材により構成されているところから自重が重く、そのために回転速度を増すにつれて遠心力も増して回転バランスが悪化して回転ブレを生じ、また刃具の把持力も低下するところから、せいぜい４２０ｒｐｍ／ｍｉｎ程度までで、それ以上の回転高速化、ひいては製品加工効率の向上を期待することはできない。　この傾向はアーバー基部を基準とし、刃具を備えたツールヘッドまでの距離、すなわち工具長が長くなるほど顕著である。
【課題を解決するための手段】
【０００４】
そこで本考案は、特に工具長の長い工具ホルダであっても、高速回転による回転ブレを殆ど生ずることがなく、また刃具の把持力低下の少ない工具ホルダを開発したものであって、具体的にはアーバーを介して工作機械に取り付けられる本体部と、該本体部に嵌め込まれるところの刃部を備えたツールヘッドからなり、該ツールヘッドをアルミ材にて構成してなるとともに、さらに必要に応じてツールヘッドの外周面に、等間隔毎に複数のバランスネジ取付用のネジ穴を形成してなることを特徴とした工作機械用工具ホルダに関する。
【０００５】
　上記の構成において、工作機械に対し、アーバーを介して本体部を取り付けるとともに、該本体部にアルミ製のツールヘッドを嵌め込み、さらに該ツールヘッドに工作用の刃部を取り付けて工具ホルダを構成する。　この工具ホルダを回転させた場合に、ツールヘッドの質量が軽いために回転遠心力が軽減され、工具長がある程度長くてもあまりブレを生ずることがなく、またブレを生じてもツールヘッドの外周面に施した複数のバランスネジ取付用のネジ穴のうち、偏心対称部位に相当するネジ穴内に適当なネジを螺入保持させてバランスを調整することにより回転ブレを無くし、被切削加工面にビリ等の不具合を発生させるのを防止できる。
【考案の効果】
【０００６】
　本考案は上記した通り、アーバーを介して工作機械に取り付けられる本体部と、該本体部に嵌め込まれるところの刃部を備えたツールヘッドからなり、本体部をアルミ材にて構成されているために本体部が軽く、全体重量が著しく軽減されるとともに吸震性があり、しかも刃具の把持力低下も殆どみられないから回転速度を増しても遠心力増加を生じにくいばかりでなく、回転バランスが良好に維持されて回転ブレを生じ難い。　そのために高速回転が可能となり、また切削加工面にビリなどの不具合を生ずることがなく製品の加工効率と品質の向上をはかることができる。
【０００７】
　また本体部又はツールヘッドの外周面には、等間隔毎に複数のバランスネジ取付用のネジ穴を形成してあるために、取り付ける刃具の種類如何によっては回転によるバランス負側に位置するバランスネジ取付用のネジ穴内にボルトを螺入させることにより、さらに回転バランスを微細に調整してより高速の回転を可能とすることができる。
【考案を実施するための最良の形態】
【０００８】
　以下において本考案の具体的な内容を図１に示した第１実施例をもとに説明すると、１は工作機械用工具ホルダの本体部、４はアーバー、５はツールヘッドを示す。　本体部１はベースフランジ２を基礎とし、片側にアーバー４を一体に取り付けるとともに、反対側にはツールヘッド５を嵌め込んでベースフランジ２に対して複数のネジ３により一体に取り付けるようになっている。
【０００９】
　さらにツールヘッド５はアルミ材によって構成され、加工用の刃６ａ・６ｂ、および７・８が取り付けてあるとともに、さらに外周面には周方向等間隔毎に複数のバランスネジ取付用のネジ穴９・９が形成され、アーバー４の基部からの工具長がｈとなるように構成されている。　なおツールヘッド５を構成するアルミ材は、ブリネル硬さがＨＢ：１００以上の硬度で、しかも比重：２．７０以上の硬質アルミ材の使用が好ましい。
【００１０】
　また上記したバランスネジ取付用のネジ穴９・９に螺入させるネジはネジ穴９に合致するものであれば既成のものでもよく、ツールヘッド５の回転バランスに合わせ、質量の負側に対応する１または複数のネジ穴９にネジを螺入させることにより回転バランスの均衡をとる。
【００１１】
　また図２には本発明の工作機械用工具ホルダの第２実施例が示されている。　この工具ホルダは片側にアーバー１２を、また反対側にツールヘッド取付部１１ａを、それぞれ一体に有する本体部１１と、該本体部１１のツールヘッド取付部１１ａに嵌め込んでネジ１６により取り付けられるツールヘッド１３とからなり、工具長ｈはこの場合比較的短く構成され、しかも該ツールヘッド１３は前記した第１実施例の場合と同様にアルミ材により構成される。
【００１２】
　またこの場合のツールヘッド１３は、図２（Ｂ）にあらわしたように非円形で同図においてネジ止めされる回転軸芯から左右方向にだけ長く突出させた略長四角形状をなし、さらに該突出両端部にはそれぞれ加工用の刃１４ａ・１４ｂがネジ１５によりツールヘッド１３の端面に取り付けられている。
【００１３】
　さらに図３には本発明の工作機械用工具ホルダの第３実施例が示されている。　この工具ホルダは片側にアーバー２２を、また反対側にツールヘッド取付部２１ａを、それぞれ一体に有する本体部２１と、該本体部２１のツールヘッド取付部２１ａに嵌め込んでネジ２６により取り付けられるところの、周方向均等間隔毎の外周端縁部にネジ２５により取り付けた加工用の刃２４ａ・２４ｂ・２４ｃ・２４ｄを有する円形のツールヘッド２３〔図３（Ｂ）参照〕とから構成されている。
【００１４】
　上記した３つの実施例の構成において、図示しない工作機械に対し、アーバー４・１２・２２を介して本体部１・１１・２１を取り付けるとともに、該本体部１・１１・２１にアルミ製ツールヘッド５・１３・２３を嵌め込み、さらに該ツールヘッド５・１３・２３に加工用の刃部６ａ・６ｂあるいは７・８／１４ａ・１４ｂ／２４ａ・２４ｂ・２４ｃ・２４ｄを取り付けて工具ホルダを構成する。　さらにこの工具ホルダを回転させた場合に、工具長ｈがある程度長くともツールヘッド５・１３・２３の質量が軽いために回転遠心力が軽減されて、殆ど回転ブレを生じない。
【００１５】
　しかし、それでも回転バランスが十分に良好でない場合には、第１実施例の場合においてはツールヘッド５の外周面に施されている複数のバランスネジ取付用のネジ穴９・・・のうち、偏心対称部位に相当するネジ穴９内に適当なネジを螺入保持させてバランスを調整することにより回転ブレを無くし、被切削加工面にビリ等の不具合を発生させるのを防止できる。
【００１６】
　また第２実施例の場合においても適宜ツールヘッド１３の両端部に同様のバランスネジ取付用のネジ穴（図示省略）を形成して適当なバランスネジを螺入取り付け、また第３実施例の場合においても必要に応じてツールヘッド２３の周りにバランスネジ取付用のネジ穴（図示省略）を形成して適当なバランスネジを螺入取り付けることにより、それぞれ回転ブレを無くして高速回転を可能にすることが可能である。
【実施例１】
【００１７】
　第１実施例で説明したツールヘッド５の材質をスチール材（比重：７．８７）からＨＢ：９５〜１８０の範囲のアルミ材（比重：２．７０）に変更して工作実験に供した。　使用アルミ材としてＨＢ：９５を使用してみたところ、２００回転を超えるあたりからブレを生じたが、使用アルミ材としてＨＢ：１００を越えると回転バランスが良好となり、しかもツールヘッド５の把持力が向上する結果、ツールヘッド５をスチール材で構成した場合の回転数（４３０ｒｐｍ／ｍｉｎ）であったものを、４、３００ｒｐｍ／ｍｉｎにまで１０．８倍もの回転数向上を実現することができた。
【００１８】
　またそれに伴って切削送りについても、スチール材で３０ｍｍ／ｍｉｎであったものを硬質アルミ材にして３６０ｍｍ／ｍｉｎにまで高速切削を可能とし、さらに切削時間についても１２分の１にまで短縮化することができた。　このようにツールヘッド５について硬質のアルミ材を用いた場合においては、重量について約３分の１の軽量化が実現でき、回転バランスが良好となることがわかった。
【図面の簡単な説明】
【００１９】
【図１】本考案の第１実施例である工作機械用工具ホルダの一部を断面であらわした側面図。
【図２】本考案の第２実施例である工作機械用工具ホルダの一部を断面であらわした側面図（Ａ）および正面図（Ｂ）。
【図３】本考案の第３実施例である工作機械用工具ホルダの側面図（Ａ）および正面図（Ｂ）。
【符号の説明】
【００２０】
　　１　　　　本体部
　　２　　　　ベースフランジ
　　３　　　　ネジ
　　４　　　　アーバー
　　５　　　　ツールヘッド
　　６ａ　　　加工用の刃部
　　６ｂ　　　加工用の刃部
　　７　　　　工作用の刃部
　　８　　　　工作用の刃部
　　９　　　　バランスネジ取付用のネジ穴
　　１１　　　本体部
　　１１ａ　　ツールヘッド取付部
　　１２　　　アーバー
　　１３　　　ツールヘッド
　　１４ａ　　加工用の刃部
　　１４ｂ　　加工用の刃部
　　１５　　　ネジ
　　１６　　　ネジ
　　２１　　　本体部
　　２２　　　アーバー
　　２３　　　ツールヘッド
　　２４　　　加工用の刃部
　　２５　　　ネジ
　　２６　　　ネジ
　　ｈ　　　　工具長
【図１】
0003099591.tif 000003
【図２】
0003099591.tif 000004
【図３】
0003099591.tif 000005